【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
定義された数の要素を含むデータセットをディスプレイ上に可視化する方法であって、
前記データセットの空間的に隣接する要素の表示可能なクラスターの数を決定するステップと、
前記データセットの前記要素の少なくとも一部を取得するステップと、
前記データセットの前記取得された要素及び前記データセットのまだ取得されていない要素をクラスター化して前記決定されたクラスターの数にするステップであって、プレースホルダを使用して前記データセットの前記まだ取得されていない要素が表される、ステップと、
各クラスターに値を割り当てるステップと、
前記ディスプレイ上に各クラスターの前記値を可視化するステップであって、プレースホルダを有するクラスターが可視化のためにマークされる、ステップと、
前記データセットの１つ以上の要素が変更されるたびに、及び／又は、前記データセットの１つ以上の更なる要素が取得されるたびに、前記クラスターと前記割り当てられた値と前記ディスプレイ上の前記可視化とを更新するステップと、
を含む、前記方法。
【請求項２】
マークされたクラスターは、色、形状、質感、又は記号で強調表示される、請求項１に記載の方法。
【請求項３】
前記クラスターに値を割り当てるステップは、関数を前記クラスターの前記要素に適用し、前記適用された関数の結果を前記クラスターに割り当てることによって行われる、請求項１又は２に記載の方法。
【請求項４】
前記表示可能なクラスターの数を決定するステップは、前記ディスプレイの解像度をクラスターごとに必要な画素数と比較することにより行われる、請求項１から３のいずれか１項に記載の方法。
【請求項５】
前記ディスプレイ上に各クラスターの前記値を可視化するステップは、前記データセットの定義された第１の最小数の要素が取得されたときにのみ開始される、請求項１から４のいずれか１項に記載の方法。
【請求項６】
前記定義された第１の最小数は、ユーザーによって設定することが可能である、請求項５に記載の方法。
【請求項７】
前記ディスプレイ上の前記クラスターと前記割り当てられた値と前記可視化とを更新するステップは、前記データセットの定義された第２の最小数の要素が変更されているか、又は定義された第２の最小数の更なる要素が取得されているときにのみ開始される、請求項１から６のいずれか１項に記載の方法。
【請求項８】
前記定義された第２の最小数は、ユーザーによって設定することが可能である、請求項７に記載の方法。
【請求項９】
定義された数の要素を含むデータセットをディスプレイ上に可視化する装置であって、前記装置は、
前記データセットの空間的に隣接する要素の表示可能なクラスターの数を決定するよう構成された計算機と、
前記データセットの前記要素の少なくとも一部を取得し、前記データセットの前記取得された要素及び前記データセットのまだ取得されていない要素をクラスター化して前記決定されたクラスターの数にし、プレースホルダを使用して前記データセットの前記まだ取得されていない要素が表され、各クラスターに値を割り当て、前記データセットの１つ以上の要素が変更されるたびに、及び／又は、前記データセットの１つ以上の更なる要素が取得されるたびに、前記クラスターと前記割り当てられた値とを更新するよう構成されたプロセッサと、
前記ディスプレイ上に各クラスターの前記値を可視化し、プレースホルダを有するクラスターが可視化のためにマークされ、かつ、前記データセットの１つ以上の要素が変更されるたびに、及び／又は、前記データセットの１つ以上の更なる要素が取得されるたびに、前記ディスプレイ上の前記可視化を更新するよう構成されたグラフィックブロックと、
を備えた、前記装置。
【手続補正２】
【補正対象書類名】明細書
【補正対象項目名】００１１
【補正方法】変更
【補正の内容】
【００１１】
好ましくは、この値は、クラスターの各要素に関数を適用し、適用された関数の結果をクラスターに割り当てることにより、クラスターに割り当てられる。これは、データセットのあまりに多くの詳細情報を表示することなく、各クラスターの代表値を割り当てることを可能とする。
【手続補正３】
【補正対象書類名】明細書
【補正対象項目名】００１３
【補正方法】変更
【補正の内容】
【００１３】
好ましくは、ディスプレイ上のクラスターの値の可視化は、データセットの定義された第１の最小数の要素が取得されたときにのみ開始される。これは、データセットの表示がそれらの最終的な値を有するクラスターの意味のある数字で始まるようにする。数に意味があると考えられているユーザーの認識によって、定義された第１の最小数はユーザーによって好ましく設定可能である。
【手続補正４】
【補正対象書類名】明細書
【補正対象項目名】００１４
【補正方法】変更
【補正の内容】
【００１４】
有利には、ディスプレイ上のクラスター、割り当てられた値及び可視化の更新は、データセットの定義された第２の最小数の要素が変更されているか、又は定義された第２の最小数の更なる要素が取得されているときにのみ開始される。好ましくは、定義されている第２の最小数は、ユーザーによって設定することが可能である。これは、ディスプレイのあまりに頻繁な変更を避けることができ、そうでなければ、オペレータが行う再検査処理を乱す可能性がある。
【手続補正５】
【補正対象書類名】明細書
【補正対象項目名】００２４
【補正方法】変更
【補正の内容】
【００２４】
データセットを可視化するための本発明による装置６は、図５においていくつかのより多くの詳細が模式的に示されている。装置６は、メタデータベクトルＭの要素を受信するための入力６０を有している。計算機６１は、表示可能なクラスターの数を決定し、プロセッサ６２にこの数を提供する。もちろん、計算機６１は、同様に、プロセッサ６２に組み込まれてもよい。プロセッサはメタデータベクトルＭの要素を取得し、メタデータベクトルＭのまだ取得されていない要素のプレースホルダを使って、取得された要素をクラスターの決定された数へクラスター化し、各クラスターに値を割り当てる。次にグラフィックブロック６３は、プロセッサ６２によって提供されたデータからの表示信号ＯＳを生成し、出力６４を介してディスプレイに供給する。メタデータベクトルＭの１つ以上の要素が変更されるたびに、及び／又は、データセットの１つ以上の更なる要素が取得されるたびに、プロセッサはそれに応じて、クラスターと割り当てられた値を更新する。次にグラフィックブロック６３は、表示を更新する。
［付記１］
定義された数（Ｓ）の要素を含むデータセットをディスプレイ（４）上に可視化する方法であって、
前記データセットの空間的に隣接する要素の表示可能なクラスターの数（Ｂ）を決定するステップ（１０、１１、１２）と、
前記データセットの前記要素の少なくとも一部を取得するステップ（１４）と、
前記データセットの前記取得された要素及び前記データセットのまだ取得されていない要素をクラスター化して前記決定されたクラスターの数にするステップであって、プレースホルダを使用して前記データセットのまだ取得されていない要素が表されるステップ（１５）と、
各クラスターに値を割り当てるステップ（１７）と、
前記ディスプレイ上に各クラスターの前記値を可視化するステップ（１８）と、
前記データセットの１つ以上の要素が変更されるたびに、及び／又は、前記データセットの１つ以上の更なる要素が取得されるたびに、前記ディスプレイ上の前記クラスターと前記割り当てられた値と前記可視化とを更新するステップ（１５、１７、１８）と、
を含む、前記方法。
［付記２］
プレースホルダを有するクラスターは可視化のためにマーク（２０）される、付記１に記載の方法。
［付記３］
マークされたクラスターは、色、形状、質感、又は記号で強調表示される、付記２に記載の方法。
［付記４］
前記クラスターに値を割り当てるステップ（１７）は、関数を前記クラスターの前記要素に適用し（１６）、適用された関数の結果を前記クラスターに割り当てることによって行われる、付記１ないし３のいずれか１項に記載の方法。
［付記５］
前記表示可能なクラスターの数（Ｂ）を決定するステップ（１０、１１、１２）は、クラスターごとに必要な画素数（Ｎ）と前記ディスプレイ（４）の解像度（Ｘ）を比較することにより行われる、付記１ないし４のいずれか１項に記載の方法。
［付記６］
前記ディスプレイ上に各クラスターの前記値を可視化するステップ（１８）は、前記データセットの定義された第１の最小数の要素が取得されたときにのみ開始される、付記１ないし５のいずれか１項に記載の方法。
［付記７］
前記定義された最初の最小数は、ユーザーによって設定できる、付記６に記載の方法。
［付記８］
前記ディスプレイ上の前記クラスターと前記割り当てられた値と前記可視化とを更新するステップ（１５、１７、１８）は、前記データセットの定義された第２の最小数の要素が変更されているか、又は定義された第２の最小数の更なる要素が取得されているときにのみ開始される、付記１ないし７のいずれか１項に記載の方法。
［付記９］
前記定義された第２の最小数は、ユーザーによって設定することが可能である、付記８に記載の方法。
［付記１０］
定義された数（Ｓ）の要素を含むデータセットをディスプレイ（４）上に可視化する装置（６）であって、前記装置（６）は、前記データセットを可視化するために付記１ないし９のいずれか１項に記載の方法を実行するように適合される、前記装置。